(57)【要約】【課題】  店舗等の室内空間に配設しても、空調効率を低下させることなく、かつ、視覚的な圧迫感を与えることがない表示装置を提供すること。【解決手段】  室内空間に配設される表示装置１であって、画像を表示可能な表示手段により帯状に形成した表示部３が少なくとも一側面に設けられる複数の柱状の表示ユニット４と、前記表示手段の表示制御を行う表示制御手段と、から構成され、前記複数の表示ユニット４を、互いに対向する側面５、５間に間隙Ｓが形成されるように並列配置し、該並列配置された各表示ユニット４の少なくとも前面側に、互いに離間する複数の前記表示部３からなる表示面６が構成されるようにした。【選択図】  図１
2005345907.tif 000002
【特許請求の範囲】
【請求項１】
室内空間に配設される表示装置であって、
画像を表示可能な表示手段により帯状に形成した表示部が少なくとも一側面に設けられる複数の柱状の表示ユニットと、
前記表示手段の表示制御を行う表示制御手段と、
から構成され、
前記複数の表示ユニットを、互いに対向する側面間に間隙が形成されるように並列配置し、該並列配置された各表示ユニットの少なくとも前面側に、互いに離間する複数の前記表示部からなる表示面が構成されるようにしたことを特徴とする表示装置。
【請求項２】
前記表示ユニットの内部に、前記表示手段から延設される配線等を収容する収容空間部が形成されていることを特徴とする請求項１に記載の表示装置。
【請求項３】
前記表示ユニットを直方体のユニットにて構成するとともに、前後面の左右幅寸法が左右側面の前後幅寸法よりも小寸となる向きに配置したことを特徴とする請求項１または２に記載の表示装置。
【請求項４】
前記表示ユニットの側面を鏡面パネルにて構成したことを特徴とする請求項１〜３のいずれかに記載の表示装置。
【請求項５】
前記表示制御手段は、互いに隣り合う表示ユニットの側面間に形成される間隙分を省略した画像を、前記複数の表示ユニットの表示面に分割して表示させる表示制御を行うことを特徴とする請求項１〜４のいずれかに記載の表示装置。
【請求項６】
前記表示手段を、複数の発光ダイオードにて構成したことを特徴とする請求項１〜５のいずれかに記載の表示装置。
【請求項７】
前記表示部における前記発光ダイオードの非配置領域を、明度が低い色にて着色したことを特徴とする請求項１〜６のいずれかに記載の表示装置。
【請求項８】
前記表示ユニットは、前記収容空間部が内部に形成されるユニット本体と、該ユニット本体の前面に形成される前記収容空間部に連通する前面開口を閉塞する閉塞パネルと、からなり、
前記閉塞パネルの前面に前記表示部を設けるとともに、前記閉塞パネルを前記ユニット本体に対して移動自在に設け、前記前面開口を開閉自在としたことを特徴とする請求項２〜７のいずれかに記載の表示装置。
【発明の詳細な説明】
【技術分野】
【０００１】
本発明は、例えば店舗、イベント施設、公共スペース等の室内空間に配設され、商品情報、宣伝広告、案内表示等の情報を表示する表示装置に関する。
【背景技術】
【０００２】
従来、この種の表示装置は、例えばＬＥＤ表示パネル、液晶表示パネル、プラズマディスプレイパネル等のような薄型で大型の表示パネルが使用され、これらは例えば店舗等の室内空間における壁等に取り付けられるか、あるいは床面の所定箇所に配設されることが多い。
【０００３】
一方、この種の宣伝広告の表示等に用いられる表示装置としては、例えば駅、イベント施設、公共スペース等に配設される曲面を有する構造物である円柱等への取り付けや表示内容の変更を容易に行うことができるとともに、表示パネルを複数の円柱に配設し、複数の宣伝内容を同時に複数箇所で表示させて宣伝効果を向上させるもの等があった（例えば、特許文献１参照）。
【０００４】
【特許文献１】特開平１０−２０２９３号公報（第５頁、第４図）
【発明の開示】
【発明が解決しようとする課題】
【０００５】
しかしながら、前述したような表示装置を室内空間における床面の所定箇所に配設する場合において、例えば宣伝広告等の情報を極力目立つように表示するために表示装置を大型化すると、配設された表示装置にて室内空間が仕切られてしまうことがあり、このようになると、空気の循環が妨げられて空調効率が著しく低下することがあるばかりか、視界が遮られて視覚的な圧迫感を与えてしまうといった問題があった。
【０００６】
また、前記特許文献１に記載の表示装置にあっては、各表示装置の大きさは構造物である円柱の大きさにて制限されてしまうため、表示パネルを大型化するには限界があった。
【０００７】
本発明は、このような問題点に着目してなされたもので、店舗等の室内空間に配設しても、空調効率を低下させることなく、かつ、視覚的な圧迫感を与えることがない表示装置を提供することを目的とする。
【課題を解決するための手段】
【０００８】
上記課題を解決するために、本発明の請求項１に記載の表示装置は、
室内空間に配設される表示装置であって、
画像を表示可能な表示手段により帯状に形成した表示部が少なくとも一側面に設けられる複数の柱状の表示ユニットと、
前記表示手段の表示制御を行う表示制御手段と、
から構成され、
前記複数の表示ユニットを、互いに対向する側面間に間隙が形成されるように並列配置し、該並列配置された各表示ユニットの少なくとも前面側に、互いに離間する複数の前記表示部からなる表示面が構成されるようにしたことを特徴としている。
この特徴によれば、表示画像を互いに離間する複数の表示部にて構成される表示面にて表示させることができるとともに、各表示ユニットの側面間には間隙が形成されるため、表示面を大型化しても、室内空間の空気の循環が妨げられることがないばかりか、視界の遮断が極力防止されるので視覚的な圧迫感を与えることがない。
【０００９】
本発明の請求項２に記載の表示装置は、請求項１に記載の表示装置であって、
前記表示ユニットの内部に、前記表示手段から延設される配線等を収容する収容空間部が形成されていることを特徴としている。
この特徴によれば、各表示ユニットからケーブルや電源コード等の配線等が外部に露出することがないので、外観体裁が向上する。
【００１０】
本発明の請求項３に記載の表示装置は、請求項１または２に記載の表示装置であって、
前記表示ユニットを直方体のユニットにて構成するとともに、前後面の左右幅寸法が左右側面の前後幅寸法よりも小寸となる向きに配置したことを特徴としている。
この特徴によれば、例えば表示面を斜め前方から視認したときに、表示ユニットの側面により、各表示部間に形成される間隙を透して後方の背景が見えにくくなるため、表示面を斜め前方から見たときの視認性が向上する。
【００１１】
本発明の請求項４に記載の表示装置は、請求項１〜３のいずれかに記載の表示装置であって、
前記表示ユニットの側面を鏡面パネルにて構成したことを特徴としている。
この特徴によれば、鏡面パネルに表示ユニットの前方または後方の背景が映り込むため、表示面に画像を表示していないときにおける視覚的効果を向上させることができる。
【００１２】
本発明の請求項５に記載の表示装置は、請求項１〜４のいずれかに記載の表示装置であって、
前記表示制御手段は、互いに隣り合う表示ユニットの側面間に形成される間隙分を省略した画像を、前記複数の表示ユニットの表示面に分割して表示させる表示制御を行うことを特徴としている。
この特徴によれば、複数の表示部からなる表示面を利用して、画像を大きく、かつ、間延びさせることなく表示させることができる。
【００１３】
本発明の請求項６に記載の表示装置は、請求項１〜５のいずれかに記載の表示装置であって、
前記表示手段を、複数の発光ダイオードにて構成したことを特徴としている。
この特徴によれば、表示面を安価に形成することができる。
【００１４】
本発明の請求項７に記載の表示装置は、請求項１〜６のいずれかに記載の表示装置であって、
前記表示部における前記発光ダイオードの非配置領域を、明度が低い色にて着色したことを特徴としている。
この特徴によれば、複数配置された発光ダイオードが見えにくくなるため、表示部の外観体裁が向上する。
【００１５】
本発明の請求項８に記載の表示装置は、請求項２〜７のいずれかに記載の表示装置であって、
前記表示ユニットは、前記収容空間部が内部に形成されるユニット本体と、該ユニット本体の前面に形成される前記収容空間部に連通する前面開口を閉塞する閉塞パネルと、からなり、
前記閉塞パネルの前面に前記表示部を設けるとともに、前記閉塞パネルを前記ユニット本体に対して移動自在に設け、前記前面開口を開閉自在としたことを特徴としている。
この特徴によれば、収納空間部に収納された配線や表示に関わる装置の点検等のメンテナンス作業を、閉塞パネルを開放することで容易に行うことができる。
【発明を実施するための最良の形態】
【００１６】
本発明の実施例を以下に説明する。
【実施例】
【００１７】
本発明の実施例を図面に基づいて説明すると、まず図1には、本発明の実施例としての表示装置１が、例えば商品店舗の室内空間に配置された状態が示されている。
【００１８】
本実施例における表示装置１は、画像を表示可能な表示手段としての発光ダイオード２｛以下、ＬＥＤと称す（図３参照）｝により帯状に形成した表示部３が前端面に設けられる複数（本実施例では１２体）の表示ユニット４と、後述するように、前記ＬＥＤ２の表示制御を行う表示制御手段としての表示コントローラ５５（図５参照）と、から主に構成され、これら複数の表示ユニット４を、互いに対向する側面５、５間に間隙Ｓが形成されるように並列配置し、該並列配置された各表示ユニット４の少なくとも前面側に、互いに離間する複数の表示部３からなる表示面６が構成されるように配置されてなる。図１においては、表示面６に女性の画像（映像）が表示されている状態が示されている。また、以下においては、図１における手前側を表示ユニット４の前側として説明する。
【００１９】
室内空間における表示装置１の左側には、商品を陳列するための陳列棚２０が配設されている。この陳列棚２０は、後述するように表示ユニット４と同形をなす直方体のユニットにて構成される支持パネル２１と、各支持パネル２１、２１間に架設される棚板２２とから構成されており、表示装置１から所定距離離間した位置に並設されている。
【００２０】
各表示ユニット４は、特に図２に示されるように、床面Ｆから天井Ｒまでの高さを有する直方体のユニットにて構成されており、その下面には、ユニットの下端を床面Ｆに固定するための下端固定部材７が固設されているとともに、上面には、ユニットの上端を天井Ｒに固定するための上端固定部材８が固設されており、これら下端固定部材７並びに上端固定部材８を介して床面Ｆと天井Ｒとに支持された状態で、上下方向を向く起立状態で立設されている。
【００２１】
また、表示ユニット４は、図３に示されるように、表示に関わる電子部品やスピーカ等の音出力装置（図示略）、並びに各装置から延設される配線等を収容する収容空間部９が内部に形成されているとともに、前面に前記収容空間部９に連通する開口１０（前面開口）が上下方向に向けて複数形成されたユニット本体１１と、該ユニット本体１１の前面に形成された複数の開口１０を閉塞する閉塞パネル１２と、から構成されている。
【００２２】
閉塞パネル１２の前面側には、複数のＬＥＤ２が格子状に配設された方形の複数のＬＥＤパネル１３が上下方向に向けて着脱自在に固着されており、これら複数のＬＥＤパネル１３の前面により上下方向に延びる帯状の表示部３が形成されている。
【００２３】
これらＬＥＤパネル１３の前面、すなわち、表示部３におけるＬＥＤ２の配置位置以外の領域であるＬＥＤ２の非配置領域は、明度が低い黒色に着色されているため、複数配置されたＬＥＤ２が目立たちにくくなり、表示部３の外観体裁が向上する。なお、本実施例では非配置領域が黒色に着色されているが、灰色あるいは明度が低い有彩色等にて着色されていてもよい。
【００２４】
閉塞パネル１２は、該閉塞パネル１２の後面側に一端が固着されるとともに、他端がユニット本体１１の内側面に固着された上下一対のガイドレール１４、１４を介して、ユニット本体１１に対して前後方向に移動自在に設けられており、前方に引き出すことでユニット本体１１の前面に形成された開口１０を開放できるようになっている。
【００２５】
また、複数のＬＥＤパネル１３は、前述したようにＬＥＤ２の交換等を容易に行うことができるように閉塞パネル１２の前面に着脱自在に取り付けられており、特にこれら複数のうち、上下所定箇所にある一部のＬＥＤパネル１３を取り外すことで、閉塞パネル１２をユニット本体１１の前端面に固定するための固定ネジＴを螺入できるようになっている。
【００２６】
また、閉塞パネル１２の後面側には、ＬＥＤ２の表示に関わる電子部品や基板等が設けられる基盤１６が縦向きに取り付けられており、前述したように上下の一部のＬＥＤパネル１３を取り外し、固定ネジＮを取り外すことで閉塞パネル１２が前後方向に移動自在となり、これにより配線や前記基盤１６に設けられた電子部品、基板等を、開口１０を介して収容空間部９に収納もしくは外部に引き出すことができるようになっている。
【００２７】
すなわち、ユニット本体１１の内部に形成された収容空間部９内には、電子部品や基板が設けられた基盤１６や、ＬＥＤパネル１３から延設されるケーブルや電源コード等の配線が収容されており、閉塞パネル１２を手前に引き出して開口１０を介して収容空間部９内を開放させることで、収容空間部９に収納されるケーブルや電源コードの配線や電子部品や基板等の点検等のメンテナンス作業を容易に行うことができるようになっている。
【００２８】
また、ユニット本体１１と閉塞パネル１２とが一体化された表示ユニット４の左右側面には、鏡面パネルとしての化粧パネル１７が取り付けられている。本実施例における化粧パネル１７はステンレス製の板材からなるため、表面が鏡面とされている。なお、本実施例においては、予め表面が鏡面であるステンレス製の化粧パネル１７にて鏡面パネルを構成しているが、例えば鏡面加工処理を施すこと等により表面が鏡面とされた化粧パネルにて表示ユニット４の側面５を鏡面とするようにしてもよい。
【００２９】
このように構成される複数の表示ユニット４は、図１〜図３に示されるように、前後面の左右幅寸法Ｌ１が左右側面５の前後幅寸法Ｌ２よりも小寸｛図２参照（Ｌ１＜Ｌ２）｝となる縦向きの状態で、互いに対向する側面５、５間に左右幅寸法Ｌ３の間隙Ｓが形成されるように、正面から見て左右方向に向けて所定間隔おきに、かつ、互いに平行をなすように並列配置され、該並列配置された複数の表示ユニット４の前面側に、互いに間隔Ｓを介して並列配置される複数の表示部３からなる表示面６が構成されるようになっている。
【００３０】
なお、本実施例においては、各表示ユニット４の側面５、５間に形成される間隙Ｓの左右幅寸法Ｌ３は、各表示ユニット４の前面における左右幅寸法Ｌ１よりも若干大寸となるように離間配置されているが（図２参照）、Ｌ１とＬ３とを同一にしてもよいし、Ｌ１よりもＬ３を小寸としてもよい。
【００３１】
さらに本実施例における表示装置１は、特に図１の店舗の室内空間を上方から見た平面図である図４に示されるように、例えば店舗の室内空間の一部を仕切るように、壁面から離間した所定位置に独立した状態で配設されていることから、室内空間がこれら複数の表示ユニット４により該表示ユニット４の前後方向に仕切られていることになるため、これら複数の表示ユニット４は室内空間を仕切る間仕切としても機能している。
【００３２】
次に、本実施例の表示装置１の構成を図５に基づいて説明すると、前記各表示ユニット４には、前記ＬＥＤパネル１３と、各ＬＥＤ２の駆動制御を行う表示ドライバ５７とが設けられており、これら各表示ユニット４の表示ドライバ５７は、表示面６に画像（映像）を表示する表示手段としてのＬＥＤ２（ＬＥＤパネル１３）を制御する表示制御手段としての表示コントローラ５５に接続されている。表示コントローラ５５には、画像（映像）再生装置としてのＤＶＤプレーヤー５１またはコンピュータ５２からの入力を選択的に切り換える切換装置５４が接続されており、これらこれら画像（映像）再生装置から出力される映像信号を各表示ドライバ５７に出力するようになっている。また、ＤＶＤプレーヤー５１と切換装置５４とは、画像（映像）の縦横比率を変換する変換器５３を介して接続されている。
【００３３】
これらＤＶＤプレーヤー５１、変換器５３、切換装置５４、表示コントローラ５５は、これら各種装置を制御するシステムコントローラ５０に接続されている。また、システムコントローラ５０には電源ユニット５６が接続されており、該システムコントローラ５０に接続される各種装置や各表示ユニット４に備えられる各種装置に電源を供給するようになっている。
【００３４】
本実施例における表示装置１における表示制御手段としての表示コントローラ５５は、図１に示される表示画像（映像）ように、互いに隣り合う表示ユニット４の側面５、５間に形成される間隙Ｓ分の画像を省略した表示画像を各表示ユニット４の表示部３に分割して表示させる、すなわち、各表示ドライバ５７を駆動して各ＬＥＤパネル１３にて画像を分割して表示させる表示制御を行うことができるようになっているため、画像（映像）を間延びさせることなく表示させることができる。なお、表示画像は静止画像であっても動画像（映像）であってもよい。
【００３５】
以上説明してきたように、本発明の実施例としての表示装置１にあっては、図４に示されるように、店舗の室内空間の一部を仕切るように複数の表示ユニット４を配設しても、表示画像を互いに離間する複数の表示部３にて構成される表示面６にて表示させることができるとともに、各表示ユニット４の側面５、５間には間隙Ｓが形成されるため、表示面６を大型化しても、室内空間の空気の循環が妨げられることがないばかりか、視界の遮断が極力防止されるので視覚的な圧迫感を与えることがない。よって、商品情報や宣伝広告等の店舗に関連する種々の情報を大型の表示面６に表示して、来店客等に対して効果的に伝達することができる。
【００３６】
また、表示ユニット４の内部には、表示部３を構成するＬＥＤパネル１３等から延設される配線や、表示に関わる各種装置等を収容する収容空間部９が形成されているため、各表示ユニット４からケーブルや電源コード等の配線等が外部に露出することがないので、外観体裁が向上する。
【００３７】
また、前記表示ユニット４が直方体のユニットにて構成されるとともに、前後面の左右幅寸法Ｌ１が左右側面の前後幅寸法Ｌ２よりも小寸となる縦向きで配置されていることで、例えば表示面６を斜め前方から視認したときに、表示ユニット４の側面５により、各表示部３、３間に形成される間隙Ｓを透して後方の背景が見えにくくなるため、表示面６を斜め前方から見たときの視認性が向上する。
【００３８】
また、表示ユニット４の側面５を、表面が鏡面である化粧パネル１７にて構成したことで、化粧パネル１７の表面（側面５）に、表示ユニット４の前方または後方の背景が映り込むため、表示面６に画像を表示していないときにおける視覚的効果を向上させることができる。
【００３９】
また、前述したように、このような複数の表示ユニット４と、該表示ユニット４の近傍に配置される商品陳列棚２０の支持パネル２１とを同一の形状の直方体ユニットにて構成することで、室内空間に配置された表示ユニット４に対する違和感を与えることがない。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、上記実施例における表示ユニット４は、床面Ｆから天井Ｒまで延びるように設けられていたが、表示ユニット４の高さは任意であり、例えば図６に示されるように、床面Ｆから天井Ｒまでの高さを有しない複数の表示ユニット４を床面Ｆ上に立設することで表示装置１’を構成してもよい。
【００４２】
また、図７に示されるように、床面Ｆから天井Ｒまでの高さを有しない複数の表示ユニット４を、天井Ｒから下方に向けて吊支することで表示装置１’’を構成してもよい。
【００４３】
また、前記実施例における表示装置１は、上下幅（高さ）寸法、左右幅寸法Ｌ１、前後幅寸法Ｌ２が全て同一な複数の表示ユニット４にて構成されていたが、本発明はこれに限定されるものではなく、図７に示されるように、前記各幅寸法が異なる複数の表示ユニットにて表示装置を構成してもよい。
【００４４】
また、特に図示はしないが、店舗等の垂直壁面に対して直交する方向、すなわち、水平方向に延びる複数の柱状の表示ユニットを上下方向に向けて並列配置することで表示装置を構成してもよい。
【００４５】
また、前記実施例における表示ユニット４の形状は直方体であったが、表示ユニット４の形状は直方体のものに限定されるものではなく、柱体であれば角柱状のものや円柱状のものであってもよい。
【００４６】
また、各表示ユニット４の側面５、５間に形成される複数の間隙Ｓの左右幅寸法Ｌ３は全て同一であったが、各間隙Ｓの左右幅寸法Ｌ３は全て同一でなくてもよい。
【００４７】
また、各表示ユニット４は、複数の表示部３により平坦な表示面６が形成されるように左右方向に向けて離間配置されていたが、必ずしも表示面６が平坦面となるように配置されていなくてもよく、一部の表示部３が表示ユニット４の前方または後方にずれていてもよい。
【００４８】
また、直方体の複数の表示ユニット４は互いに平行をなすように並列配置されていたが、互いに並列配置される複数の表示部３にて表示面６が構成されるようになっていれば、各表示ユニット４は互いに平行に配置されていなくてもよい。
【００４９】
また、前記実施例においては、帯状の表示部３を構成する表示手段として、発光ダイオード（ＬＥＤ２）が適用されていたが、液晶表示パネルやプラズマディスプレイパネル等の他の表示手段にて表示部３を構成してもよい。
【図面の簡単な説明】
【００５０】
【図１】本発明の実施例としての表示装置が店舗等に配設された状態を示す斜視図である。
【図２】図１の表示装置を示す正面図、平面図、側面図である。
【図３】表示ユニットの構造を示す斜視図である。
【図４】図１の店舗を示す平面図である。
【図５】表示装置の構成を示すブロック図である。
【図６】表示ユニットの変形例を示す斜視図である。
【図７】同じく、表示ユニットの変形例を示す斜視図である。
【符号の説明】
【００５１】
１        表示装置
２        発光ダイオード（ＬＥＤ）（表示手段）
３        表示部
４        表示ユニット
５        側面
６        表示面
７        下端固定部材
８        上端固定部材
９        収容空間部
１０      開口（前面開口）
１１      ユニット本体
１２      閉塞パネル
１３      ＬＥＤパネル
１４      ガイドレール
１６      基盤
１７      化粧パネル（鏡面パネル）
２０      陳列棚
２１      支持パネル
２２      棚板
５０      システムコントローラ
５１      ＤＶＤプレーヤー
５２      コンピュータ
５３      変換器
５４      切換装置
５５      表示コントローラ（表示制御手段）
５６      電源ユニット
５７      表示ドライバ
Ｓ        間隙
【図１】
2005345907.tif 000003
【図２】
2005345907.tif 000004
【図３】
2005345907.tif 000005
【図４】
2005345907.tif 000006
【図５】
2005345907.tif 000007
【図６】
2005345907.tif 000008
【図７】
2005345907.tif 000009